(57)【特許請求の範囲】
【請求項１】
プリンタにて必要情報が印字されて排出される被印字媒体を巻取る巻取り機において、
一端が片持ち支持されて突設され、他端が開放端とされるとともに、前記被印字媒体を巻取るための駆動力を与える回転軸と、
一端に前記被印字媒体の一方の側端部を規制する第１の幅規制板が固設され他端が開放端とされるとともに、嵌着部材を備え、かつ、前記開放端から前記第１の幅規制板間の長手方向に沿って溝を備え、前記回転軸に沿って摺動可能に嵌装される前記被印字媒体の巻取り部材と、
この巻取り部材の長手方向に沿って摺動可能に設けられ、前記被印字媒体の他方の側端部を規制する第２の幅規制板、嵌合リング部、及び前記第２の幅規制板より突出した押え舌片を備える位置決め部材と、
前記被印字媒体の巻取り用支管と、を有し、
前記被印字媒体の巻き取り時、前記巻取り部材を前記回転軸の長手方向の適宜位置に位置決めし、
前記巻取り部材にて巻き取る際には、前記被印字媒体を引き出して一方の側端部を第１の幅規制板に当接し、かつ、前記位置決め部材の嵌合リング部を巻取り部材の開放端側より嵌装し、前記溝に前記押え舌片を係合させた状態で長手方向に沿い摺動して前記被印字媒体の他方の側端部を前記第２の幅規制板に当接し、
また、前記巻取り用支管にて巻き取る際には、適宜位置に位置決めされた前記巻取り部材の開放端より支管を挿入して前記嵌着部材に嵌合し、さらに、前記被印字媒体を引き出して一方の側端部を第１の幅規制板に当接し、かつ、前記位置決め部材の嵌合リング部を巻取り部材の開放端側より嵌装し前記押え舌片にて被印字媒体を押えるとともに、前記被印字媒体あるいは支管の他方の側端部を前記第２の幅規制板に当接することを特徴とする巻取り機における被印字媒体の位置決め装置。
【請求項２】
前記回転軸は、長手方向に沿って前記被印字媒体または前記支管の幅に対応した目盛りが前記片持ち支持された根本側から開放端に向けて小さくなるように設定された第１のセット位置目盛りを備えることを特徴とする請求項１記載の巻取り機における被印字媒体の位置決め装置。
【請求項３】
前記巻取り部材は、長手方向に沿って前記被印字媒体または前記支管の幅に対応した目盛りが前記開放端側から前記第１の幅規制板に向けて小さくなるように設定された第２のセット位置目盛りを備えることを特徴とする請求項１記載の巻取り機における被印字媒体の位置決め装置。
【請求項４】
前記巻取り部材を前記被印字媒体または前記支管の幅に対応した回転軸の前記第１のセット位置目盛りに位置決めするとともに、
前記位置決め部材を前記被印字媒体または前記支管の幅に対応した巻取り部材の前記第２のセット位置目盛りに位置決めすることを特徴とする請求項１ないし３記載の巻取り機における被印字媒体の位置決め装置。
【請求項５】
前記嵌着部材は、前記被印字媒体の巻取り用支管を嵌合せしめるとともに、前記回転軸の駆動を前記支管に伝達させることを特徴とする請求項１ないし４記載の巻取り機における被印字媒体の位置決め装置。
【発明の詳細な説明】
【０００１】
【発明の属する技術分野】
本発明は、特に、ラベルなどの被印字媒体に所定の情報を印字するプリンタの外部に装着して、プリンタから排出される前記被印字媒体を巻取る巻取り機における被印字媒体の位置決め装置に関する。
【０００２】
【従来の技術】
従来から、例えば図７および図８に示すような巻取り機２が知られている。この巻取り機２は、プリンタ（例えばラベルプリンタ）６の外部に取付け固定プレート４にて固定・位置決めされ、前記プリンタ６にて所定の情報が印字されて排出方向Ｆに排出される、例えばラベル連続体などの被印字媒体Ｌを巻取るための装置であって、巻取り軸８、ラベル押え部材１０を有する。なお、１２、１４、１６は、おのおの第１、第２、第３のガイドローラを示す。
【０００３】
巻取り軸８は、片持ち支持され、その一端（根本側）には、被印字媒体Ｌの一方の側端部を規制する幅規制板１８が固設されており、他端は開放端となっている。更に、この巻取り軸８の長手方向Ｗには、被印字媒体Ｌの止着用の溝２０が形成されている。また、この巻取り軸８は、図示しない駆動源（例えば、モータ）によって正回転または逆回転されるようになっている。
【０００４】
なお、以前および以後において「長手方向Ｗ」とは、プリンタ６から排出される被印字媒体Ｌの排出方向Ｆにほぼ直交する方向を指すものとして説明する。
ラベル押え部材１０は、主に図８で示すように、止着部材２２と幅規制板２４とから成り、前記巻取り軸８に対し着脱自在に設けられている。
【０００５】
この巻取り機２にて前記プリンタ６から排出された被印字媒体Ｌを巻取る場合、第１、第２、第３のガイドローラ１２、１４、１６を経て被印字媒体Ｌを巻取り軸８へと引き出す。そして、主に図８にて示すように、被印字媒体Ｌの一方の側端部を巻取り軸８の根本側に固設された幅規制板１８に当接させ、止着部材２２を巻取り軸８の溝２０に係合しながら巻取り軸８と止着部材２２にて被印字媒体Ｌを挟持し、更に、幅規制板２４を巻取り軸８に開放端側から装着して前記止着部材２２をより巻取り軸８へ押し付けるようにしている。また、幅規制板２４は、被印字媒体Ｌの他方の側端部に当接させる。
【０００６】
ところでプリンタ６においては、近年図示せぬ印字ヘッド（例えば、サーマルヘッド）の印字圧力バランスや熱効率を考慮して印字ヘッド（図示せず）の中央部近辺を積極的に使う、いわゆる「センター振り分け」と称する使い方が行われるようになってきた。
【０００７】
しかしながら、従来の巻取り機２は、長手方向Ｗを含むプリンタ６との位置関係が取付け固定プレート４にて固定・位置決めされており、しかも被印字媒体Ｌの一方の側端部を案内する幅規制板１８が巻取り軸８の根本側に固設されているため、センター振り分けに適さなかった。すなわち、この従来の巻取り機２をセンター振り分け用に無理やり使用すると、プリンタ６の中央部位から排出された被印字媒体Ｌの一方の側端部を巻取り軸８の根本側に固設される幅規制板１８に当接するよう無理やり方向を変えるため被印字媒体Ｌがよじれ、しかも、被印字媒体Ｌの他方の側端部が押え部材１０の幅規制板２４でこすれて被印字媒体Ｌの側端部が痛むなどの問題が発生した。
【０００８】
被印字媒体Ｌの側端部が痛まないよう、幅規制板２４を幅規制板１８から離して、プリンタ６の中央部位から排出される被印字媒体Ｌの他方の側端部の位置に位置決めして巻取ると、幅規制板１８、２４間が広くなって被印字媒体Ｌは蛇行しながら巻取られるため、正常な巻取りが行われないことが多々生じた。
【０００９】
【発明が解決しようとする課題】
本発明は以上のような問題点に着目してなされたもので、被印字媒体および支管を対象とした片側基準及びセンター振り分けの双方に対応でき、しかも、センター振り分け時の幅規制板の位置決めを容易とした巻取り機における被印字媒体の位置決め装置を提供することを課題とする。
【００１０】
【課題を解決するための手段】
上記の課題を解決するためになされた本発明の巻取り機における被印字媒体の位置決め装置は、プリンタにて必要情報が印字されて排出される被印字媒体を巻取る巻取り機において、一端が片持ち支持されて突設され、他端が開放端とされるとともに、前記被印字媒体を巻取るための駆動力を与える回転軸と、一端に前記被印字媒体の一方の側端部を規制する第１の幅規制板が固設され他端が開放端とされるとともに、嵌着部材を備え、かつ、前記開放端から前記第１の幅規制板間の長手方向に沿って溝を備え、前記回転軸に沿って摺動可能に嵌装される前記被印字媒体の巻取り部材と、この巻取り部材の長手方向に沿って摺動可能に設けられ、前記被印字媒体の他方の側端部を規制する第２の幅規制板、嵌合リング部、及び前記第２の幅規制板より突出した押え舌片を備える位置決め部材と、前記被印字媒体の巻取り用支管と、を有し、前記被印字媒体の巻き取り時、前記巻取り部材を前記回転軸の長手方向の適宜位置に位置決めし、前記巻取り部材にて巻き取る際には、前記被印字媒体を引き出して一方の側端部を第１の幅規制板に当接し、かつ、前記位置決め部材の嵌合リング部を巻取り部材の開放端側より嵌装し、前記溝に前記押え舌片を係合させた状態で長手方向に沿い摺動して前記被印字媒体の他方の側端部を前記第２の幅規制板に当接し、また、前記巻取り用支管にて巻き取る際には、適宜位置に位置決めされた前記巻取り部材の開放端より支管を挿入して前記嵌着部材に嵌合し、さらに、前記被印字媒体を引き出して一方の側端部を第１の幅規制板に当接し、かつ、前記位置決め部材の嵌合リング部を巻取り部材の開放端側より嵌装し前記押え舌片にて被印字媒体を押えるとともに、前記被印字媒体あるいは支管の他方の側端部を前記第２の幅規制板に当接する。
【００１１】
更に、上記回転軸は、長手方向に沿って前記被印字媒体または前記支管の幅に対応した目盛りが前記片持ち支持された根本側から開放端に向けて小さくなるように設定された第１のセット位置目盛りを備えるようにできる。
【００１２】
また、上記巻取り部材は、長手方向に沿って前記被印字媒体または前記支管の幅に対応した目盛りが前記開放端側から前記第１の幅規制板に向けて小さくなるように設定された第２のセット位置目盛りを備えるようにできる。
【００１３】
また、前記巻取り部材を前記被印字媒体または前記支管の幅に対応した回転軸の前記第１のセット位置目盛りに位置決めするとともに、前記位置決め部材を前記被印字媒体または前記支管の幅に対応した巻取り部材の前記第２のセット位置目盛りに位置決めするようにできる。
さらに、上記嵌着部材は、前記被印字媒体の巻取り用支管を嵌合せしめるとともに、前記回転軸の駆動を前記支管に伝達させるようにできる。
【００１４】
【発明の実施の形態】
本発明の第１の実施の形態による被印字媒体の位置決め装置を具備した巻取り機３０を図１ないし図５に基づき説明する。なお、従来例と同様の部分には同一の符号を付し、その詳述はこれを省略する。
【００１５】
図１は、本発明に係る巻取り機３０の概略斜視図であって、被印字媒体Ｌをプリンタ６の長手方向Ｗにおけるセンター振り分け位置に位置決めするための位置決め装置３２を備えている。
【００１６】
この位置決め装置３２は、主に、回転軸３４、巻取り部材３６および位置決め部材３８から成る。なお、１２、１４は、おのおの第１および第２のガイドローラである。
【００１７】
回転軸３４は、一端が片持ち支持された状態で突設され、他端は開放端となっており、長手方向Ｗには、第１のセット位置目盛り４０および巻取り部材３６の係止・回転防止用の溝４２が設けられている。前記セット位置目盛り４０は、被印字媒体Ｌの幅に対応した「目盛り」であって、根本側から開放端に向けた長手方向Ｗに沿って目盛りが小さくなるように設定されている。
【００１８】
巻取り部材３６は、主に、第１の幅規制板４４、被印字媒体Ｌの係合用の溝４８、嵌着部材としての板バネ５０および固定ネジ５２を備えている。
【００１９】
第１の幅規制板４４は一端に固設されており、他端は開放端となっている。また、溝４８は、長手方向Ｗに沿って設けられている。更に、嵌着部材としての板バネ５０は、被印字媒体Ｌを巻付ける「コア」として図示しない支管を装着した際、支管（図示せず）を動かないように巻取り部材３６に嵌合するとともに、前記回転軸の回転駆動に従って空回りしないで回転するよう設けてある。また、巻取り部材３６は、前記回転軸３４に開放端側から嵌装して回転軸３４の長手方向Ｗに沿って摺動可能となっており、第１の幅規制板４４が回転軸３４の根本側にくるように装着する。この巻取り部材３６は、固定ネジ５２を締め付けると固定ネジ５２の先端が前記巻取り軸３４の溝４２に係合して固定されるようになっている。
【００２０】
位置決め部材３８は、第２の幅規制板５４、嵌合リング部５６および押え舌片５８から形成されている。幅規制板５４には、前記巻取り部材３６よりやや大きめの径の穴があけられており、片面にこの穴とほぼ同じ径の嵌合リング部５６が固定されている。嵌合リング部５６は、リング状の一部にスリット６０が形成されており、リングの径が多少伸縮するようになっている。押え舌片５８は、板バネ状を呈して幅規制板５４より突出して設けられ、前記巻取り部材３６側に弾性付勢力を与えるためのものであって、被印字媒体Ｌを巻取る際の押えに使用する。そして、幅規制板５４が回転軸３４の根本側となるよう嵌合リング部５６を前記巻取り部材３６に装着し、かつ、押え舌片５８を前記巻取り部材３６の溝４８に係合して巻取り部材３６の長手方向Ｗに沿って摺動するようになっている。
【００２１】
こうした状態の巻取り機３０において、プリンタ６から排出された被印字媒体Ｌを巻取る際、巻取り部材３６を回転軸３４に沿って摺動しセット位置目盛り４０の適宜位置、すなわち、被印字媒体Ｌの幅に対応した目盛り位置に位置決めし、固定ネジ５２にて固定すると、巻取り部材３６の第１の幅規制板４４がプリンタ６の中央部位から排出される被印字媒体Ｌの一方の側端部の位置に位置決めされる。より具体的には、プリンタ６の長手方向Ｗの図示しない中心線に対応した巻取り機３０の回転軸３４における位置（プリンタ６の中心線に対応する仮の中心線）から、被印字媒体Ｌの幅のほぼ１／２の距離分、回転軸３４の根本側に離れた位置に位置決めされる。
【００２２】
そして、位置決めされた第１の幅規制板４４へ向けてプリンタ６から被印字媒体Ｌを引き出し、被印字媒体Ｌの一方の側端部を幅規制板４４に当接する。
【００２３】
次に、巻取り部材３６の開放端側より位置決め部材３８の嵌合リング部５６を第２の幅規制板５４が内側となるように嵌装し、巻取り部材３６に沿って摺動して第２の幅規制板５４を被印字媒体Ｌに当接する。なお、このとき、被印字媒体Ｌを位置決め部材３８の押え舌片５８で外側より押え、巻取り部材３６と押え舌片５８の間で被印字媒体Ｌを挟持するようになっている（図４の想像線部分）。
【００２４】
このように、回転軸３４に設けられる第１のセット位置目盛り４０において、被印字媒体Ｌの幅に対応した目盛りに巻取り部材３６を位置決めするだけで、センター振り分け位置で印字されてプリンタ６から排出される被印字媒体Ｌの一方の側端部を規制する位置に第１の幅規制板４４が位置決めされ、更に、被印字媒体Ｌの他方の側端部に第２の幅規制板５４を当接することにより、第１および第２の幅規制板４４、５４が回転軸３４の長手方向Ｗのほぼ中央部位で位置決めされるものである。
【００２５】
なお、片側に寄せる、いわゆる片側基準のときは、回転軸３４の根本側に向けて巻取り部材３６が止まるまで押し込んで固定すれば、プリンタ６から排出される被印字媒体Ｌの一方の側端部を規制する位置に第１の幅規制板４４が位置決めされるようになっている。
【００２６】
図６は、第２の実施の形態を示す概略側面図である。先の第１の実施の形態においては、巻取り部材３６に被印字媒体Ｌを直接巻付ける、いわゆる「直巻き」について説明したが、図６に想像線で示すように、「コア」としての支管Ｃを巻取り部材３６に嵌着して被印字媒体Ｌを巻取ることも可能であり、前記嵌着部材としての板バネ５０によって支管Ｃは空回りすることなく巻取り部材３６に嵌合される。更に、嵌着された支管Ｃは、第１および第２の幅規制板４４、５４によって回転軸３４の長手方向Ｗのほぼ中央部位に位置決めされる。
【００２７】
また、上記においては、被印字媒体Ｌまたは支管Ｃを長手方向Ｗの中央部位に位置決めするために第１のセット位置目盛り４０を設けた実施の形態で説明したが、図６に示すように、巻取り部材３６の長手方向Ｗに、位置決め部材３８用の第２のセット位置目盛り６２を設けてもよい。このセット位置目盛り６２は、被印字媒体Ｌの幅に対応した「目盛り」であって、開放端側から第１の幅規制板４４に向けて目盛りが小さくなるように設定されている。
【００２８】
そして、回転軸３４の前記セット位置目盛り４０に巻取り部材３６を位置決め・固定し、巻取り部材３６に位置決め部材３８を開放端側から嵌装して、前記セット位置目盛り６２の被印字媒体Ｌあるいは支管Ｃの幅に対応した目盛りに位置決め部材３８を位置決めすると、第２の幅規制板５４が、プリンタ６の中央部位から排出される被印字媒体Ｌあるいは支管Ｃの他方の側端部の位置に位置決めされるようになっている。より具体的には、前記第１の幅規制板４４から被印字媒体Ｌ（あるいは支管Ｃ）の幅分、開放端側に離れた位置に位置決めされるものであり、前記巻取り機３０の長手方向Ｗにおける前記図示しない仮の中心線から、被印字媒体Ｌの幅のほぼ１／２の距離分開放端側に離れた位置に位置決めされる。
【００２９】
先の第１のセット位置目盛り４０の他に、第２のセット位置目盛り６２を設けることにより、被印字媒体Ｌあるいは支管Ｃの幅が変わったような場合、プリンタ６側にて被印字媒体Ｌをセットしている間に第１および第２の幅規制板４４、５４が位置決めできるものである。その他の構成、作用、効果は、先の実施の形態と同様につき説明を省略する。
【００３０】
【発明の効果】
以上説明したように、本発明は、回転軸と、この回転軸に沿って摺動する第１の幅規制板を備えた巻取り部材と、巻取り部材に沿って摺動する第２の幅規制板を備えた位置決め部材とを有するので、長手方向のセンター振り分け位置で印字されてプリンタから排出される被印字媒体を規制する位置に、第１および第２の幅規制板を容易に位置決めすることができるという効果がある。
【００３１】
更に、巻取り部材に支管用の嵌着部材を設けたので、巻取り部材にて直に被印字媒体を巻取る直巻きの他に、支管にも巻取り可能であり、しかも、支管は第１および第２の幅規制板によって長手方向のセンター振り分け位置に位置決めされるという効果がある。
【図面の簡単な説明】
【図１】本発明の第１の実施の形態による被印字媒体の位置決め装置を具備した巻取り機の概略斜視図
【図２】同、回転軸への巻取り部材の装着状態を説明する概略斜視図
【図３】同、巻取り部材への被印字媒体のセット状態を説明する概略斜視図
【図４】同、図３中、矢示ＩＶ方向から見た概略側面図
【図５】同、図４中、矢示Ｖ方向から見た第１のセット位置目盛り部分の部分拡大平面図
【図６】同、支管および第２のセット位置目盛りを設けた第２の実施の形態を示す概略側面図
【図７】従来の巻取り機を示す概略斜視図
【図８】同、被印字媒体を装着する際の巻取り軸とラベル押え部材との関係を説明する概略斜視図
【符号の説明】
Ｌ  被印字媒体
Ｗ  長手方向
Ｆ  被印字媒体Ｌの排出方向
Ｃ  支管（コア）
２  巻取り機（従来）
４  取付け固定プレート
６  プリンタ（ラベルプリンタ）
８  巻取り軸
１０  ラベル押え部材
１２  第１のガイドローラ
１４  第２のガイドローラ
１６  第３のガイドローラ
１８  幅規制板
２０  止着用の溝
２２  止着部材
２４  幅規制板
３０  巻取り機（本発明の実施の形態）
３２  位置決め装置
３４  回転軸
３６  巻取り部材
３８  位置決め部材
４０  第１のセット位置目盛り
４２  溝
４４  第１の幅規制板
４８  溝
５０  嵌着部材（板バネ）
５２  固定ネジ
５４  第２の幅規制板
５６  嵌合リング部
５８  押え舌片
６０  スリット
６２  第２のセット位置目盛り
【図１】
0003830241.tif 000002
【図２】
0003830241.tif 000003
【図３】
0003830241.tif 000004
【図４】
0003830241.tif 000005
【図５】
0003830241.tif 000006
【図６】
0003830241.tif 000007
【図７】
0003830241.tif 000008
【図８】
0003830241.tif 000009